(57)【特許請求の範囲】
【請求項１】
位置情報と前記位置情報の測位の時間情報とを含む解析対象の位置情報ログを含むクラスタリング空間情報を生成するクラスタリング空間プロット手段と、
前記クラスタリング空間情報をクラスタリングし、滞留点の位置情報ログを含む滞留点パタン情報を抽出する滞留点クラスタ抽出手段と、
前記解析対象の位置情報ログと、所定のマップ情報から抽出される交通機関または道路の位置に関する情報とを比較し、移動経路として予測される前記交通機関または道路の位置を含む経路における位置情報ログに対応する経路情報を抽出する位置情報ログマップマッチング手段と、
前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出する非滞留点位置情報ログ抽出手段と、
前記非滞留点候補ログをクラスタリングし、位置情報ログ含む移動経路パタン情報を抽出する移動経路クラスタ抽出手段と、
前記滞留点パタン情報と、前記移動経路パタン情報とを基に、移動経路候補ログを抽出し、前記滞留点クラスタ抽出手段に出力する滞留点移動経路判別手段と
を含み、
前記滞留点クラスタ抽出手段は、前記移動経路候補ログに含まれている位置情報ログを前記クラスタリング空間情報から除いて再クラスタリングし、変更された滞留点パタン情報を抽出し、
前記滞留点移動経路判別手段が、
前記移動経路パタン情報と前記滞留点パタン情報とが共通の位置情報ログを含む場合、前記共通の位置情報ログが含む時間情報の所定の時間範囲に含まれる前記移動経路パタン情報に含まれる位置情報ログを前記移動経路候補ログに含ませる情報解析装置。
【請求項２】
前記滞留点移動経路判別手段が、
前記滞留点パタン情報と、前記移動経路パタン情報とを基に、前記非滞留点位置情報ログ抽出手段の前記非滞留点候補ログの抽出を改善するために用いる滞留点候補ログを抽出する
ことを特徴とする請求項１に記載の情報解析装置。
【請求項３】
前記滞留点移動経路判別手段が、
前記移動経路パタン情報と前記滞留点パタン情報とが共通の位置情報ログを含む場合、前記共通の位置情報ログが含む時間情報を基に所定の時間範囲に含まれる前記滞留点パタン情報に含まれる位置情報ログを前記滞留点候補ログに含ませる
ことを特徴とする請求項２に記載の情報解析装置。
【請求項４】
前記滞留点移動経路判別手段が、
前記移動経路候補ログと前記滞留点候補ログとに含まれる多重候補位置情報ログがある場合、
前記多重位置情報ログに含まれる時間情報を基に、いずれかの１の候補ログの前記多重候補位置情報ログを残し、他の候補ログの前記多重候補位置情報ログを削除する
ことを特徴とする請求項２または請求項３に記載の情報解析装置。
【請求項５】
前記滞留点移動経路判別手段が、
前記移動経路パタン情報と前記滞留点パタン情報とが共通の位置情報ログを含む場合、
前記共通の位置情報ログと前記交通機関との距離と、
前記共通の位置情報ログを含むクラスタに含まれる位置情報ログと前記交通機関との平均距離と標準偏差といずれか又はすべてを基に
移動経路候補ログ又は滞留点候補ログのいずれかに前記共通の位置情報ログを含ませる
ことを特徴とする請求項１に記載の情報解析装置。
【請求項６】
情報解析装置において、
位置情報と前記位置情報の測位の時間情報とを含む解析対象の位置情報ログを含むクラスタリング空間情報を生成し、
前記クラスタリング空間情報をクラスタリングし、滞留点の位置情報ログを含む滞留点パタン情報を抽出し、
前記解析対象の位置情報ログと、所定のマップ情報から抽出される交通機関または道路の位置に関する情報とを捕獲し、移動経路として予測される前記交通機関または道路の位置を含む経路における位置情報ログに対応する経路情報を抽出し、
前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出し、
前記非滞留点候補ログをクラスタリングし、位置情報ログ含む移動経路パタン情報を抽出し、
前記滞留点パタン情報と、前記移動経路パタン情報とを基に、移動経路候補ログを抽出し、
前記移動経路候補ログに含まれている位置情報ログを前記クラスタリング空間情報から除いて再クラスタリングし、変更された滞留点パタン情報を抽出し、
前記移動経路パタン情報と前記滞留点パタン情報とが共通の位置情報ログを含む場合、前記共通の位置情報ログが含む時間情報の所定の時間範囲に含まれる前記移動経路パタン情報に含まれる位置情報ログを前記移動経路候補ログに含ませる
ことを含む情報解析方法。
【請求項７】
位置情報と前記位置情報の測位の時間情報とを含む解析対象の位置情報ログを含むクラスタリング空間情報を生成する生成する処理と、
前記クラスタリング空間情報をクラスタリングし、滞留点の位置情報ログを含む滞留点パタン情報を抽出する処理と、
前記解析対象の位置情報ログと、所定のマップ情報から抽出される交通機関または道路の位置に関する情報とを捕獲し、移動経路として予測される前記交通機関または道路の位置を含む経路における位置情報ログに対応する経路情報を抽出する処理と、
前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出する処理と、
前記非滞留点候補ログをクラスタリングし、位置情報ログ含む移動経路パタン情報を抽出する処置と、
前記滞留点パタン情報と、前記移動経路パタン情報とを基に、移動経路候補ログを抽出する処理と、
前記移動経路候補ログに含まれている位置情報ログを前記クラスタリング空間情報から除いて再クラスタリングし、変更された滞留点パタン情報を抽出する処理と、
前記移動経路パタン情報と前記滞留点パタン情報とが共通の位置情報ログを含む場合、前記共通の位置情報ログが含む時間情報の所定の時間範囲に含まれる前記移動経路パタン情報に含まれる位置情報ログを前記移動経路候補ログに含ませる処理と
をコンピュータに実行させるプログラム。
【発明の詳細な説明】
【技術分野】
【０００１】
本発明は、情報の解析に関し、特に位置情報を基に情報を解析する情報解析装置、情報解析方法及びプログラムに関する。
【背景技術】
【０００２】
近年、位置情報を含めた人間の生活行動をデジタル的に記録するライフログ（Life log）や、コミュニケーションツール（情報伝達装置）における位置情報に基づくサービス（ＬＢＳ：Location Based Service）が拡っている。
【０００３】
ＬＢＳとして、例えば、カメラ機能付き携帯電話機において、搭載される全地球測位システム（ＧＰＳ：Global Positioning System）機能を利用し、カメラで撮影した写真に位置情報の記録を付与するアプリケーションがある。また、携帯電話機を用いて、位置情報を付けて行動をデジタル記録するアプリケーションがある。このようなアプリケーションは、例えば、ブログ（Blog）や、ツイッター（Twitter（登録商標））のようなミニブログ（mini Blog）である。
【０００４】
さらに、携帯電話向けのユーザーエージェント（User Agent）機能又はレコメンド（recommend）型サービスとして、利用者の位置情報を定期的に測位し、利用者の行動パタン（pattern）に合わせてコンテンツを配信するサービスがある。（例えば、特許文献１を参照。）
このようなサービスの有効性の向上のため、利用者の生活行動（行動パタン）の生成の精度向上が必要である。そして、行動パタンの精度向上のため、利用者の位置情報の入手の間隔は、短いほど望ましい。また、精度向上のため、位置情報の入手間隔は、固定周期が望ましい。
【０００５】
しかし、位置情報は、利用者のプライバシーに関する情報である。プライバシーを保護するため、利用者の位置情報の入手は、少ない方がよい。また、ＧＰＳを用いた位置検出動作は、電力の消費が多い。そのため、利用者の携帯電話の測位の回数は、少ない方がよい。
【０００６】
つまり、サービスを提供する装置及びシステムは、少ない位置情報を基に、行動パタンの精度を向上できることが望まれている。
【０００７】
そこで、位置情報の履歴を用いてサービスを提供する装置及びシステムがある。（例えば、特許文献２を参照。）
さらに精度向上のため、履歴を解析するサービスを提供する装置及びシステムがある。例えば、利用者は、交通機関などの移動中に比べ、街中など移動が少ない状態の方が、サービスを容易に受けられる。そこで、履歴を解析し、利用者の移動が少ない状態（滞留点）を判別するサービス提供装置及びシステムが考えられている。（例えば、特許文献３を参照。）
【先行技術文献】
【特許文献】
【０００８】
【特許文献１】特開２０００−１２３０７０
【特許文献２】特開２０１１−１００１８２
【特許文献３】特開２００９−１１６５４１
【発明の概要】
【発明が解決しようとする課題】
【０００９】
交通機関の乗換駅は、利用者にとって移動中であるが、移動速度が遅くなる。しかし、上述した特許文献３は、位置情報の時間を基に滞留点を判別しているため、移動中の乗換駅の位置情報を滞留点に含めてしまうという問題点があった。
【００１０】
本発明の目的は、上述した移動中の乗換駅などの位置情報を滞留点に含めてしまうという課題を解決する情報解析装置、情報解析方法及びプログラムを提供することにある。
【課題を解決するための手段】
【００１１】
本発明の情報解析装置は、位置情報と前記位置情報の測位の時間情報とを含む解析対象の位置情報ログを含むクラスタリング空間情報を生成するクラスタリング空間プロット手段と、前記クラスタリング空間情報をクラスタリングし、滞留点の位置情報ログを含む滞留点パタン情報を抽出する滞留点クラスタ抽出手段と、前記解析対象の位置情報ログと、所定のマップ情報から抽出される交通機関または道路の位置に関する情報とを比較し、移動経路として予測される前記交通機関または道路の位置を含む経路における位置情報ログに対応する経路情報を抽出する位置情報ログマップマッチング手段と、前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出する非滞留点位置情報ログ抽出手段と、前記非滞留点候補ログをクラスタリングし、位置情報ログ含む移動経路パタン情報を抽出する移動経路クラスタ抽出手段と、前記滞留点パタン情報と、前記移動経路パタン情報とを基に、移動経路候補ログを抽出し、前記滞留点クラスタ抽出手段に出力する滞留点移動経路判別手段とを含み、前記滞留点クラスタ抽出手段は、前記移動経路候補ログに含まれている位置情報ログを前記クラスタリング空間情報から除いて再クラスタリングし、変更された滞留点パタン情報を抽出する
本発明の情報解析方法は、位置情報と前記位置情報の測位の時間情報とを含む解析対象の位置情報ログを含むクラスタリング空間情報を生成し、前記クラスタリング空間情報をクラスタリングし、滞留点の位置情報ログを含む滞留点パタン情報を抽出し、前記解析対象の位置情報ログと、所定のマップ情報から抽出される交通機関または道路の位置に関する情報とを捕獲し、移動経路として予測される前記交通機関または道路の位置を含む経路における位置情報ログに対応する経路情報を抽出し、前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出し、前記非滞留点候補ログをクラスタリングし、位置情報ログ含む移動経路パタン情報を抽出し、前記滞留点パタン情報と、前記移動経路パタン情報とを基に、移動経路候補ログを抽出し、前記移動経路候補ログに含まれている位置情報ログを前記クラスタリング空間情報から除いて再クラスタリングし、変更された滞留点パタン情報を抽出する。
【００１２】
本発明のプログラムは、位置情報と前記位置情報の測位の時間情報とを含む解析対象の位置情報ログを含むクラスタリング空間情報を生成する生成する処理と、前記クラスタリング空間情報をクラスタリングし、滞留点の位置情報ログを含む滞留点パタン情報を抽出する処理と、前記解析対象の位置情報ログと、所定のマップ情報から抽出される交通機関または道路の位置に関する情報とを捕獲し、移動経路として予測される前記交通機関または道路の位置を含む経路における位置情報ログに対応する経路情報を抽出する処理と、前記クラスタリング空間情報に含まれる前記解析対象の位置情報ログから、前記滞留点パタン情報に含まれない位置情報ログと、前記滞留点パタン情報と前記経路情報とに含まれる位置情報ログとを含む非滞留点候補ログを抽出する処理と、前記非滞留点候補ログをクラスタリングし、位置情報ログ含む移動経路パタン情報を抽出する処置と、前記滞留点パタン情報と、前記移動経路パタン情報とを基に、移動経路候補ログを抽出する処理と、前記移動経路候補ログに含まれている位置情報ログを前記クラスタリング空間情報から除いて再クラスタリングし、変更された滞留点パタン情報を抽出する処理とをコンピュータに実行させる。
【発明の効果】
【００１３】
本発明によれば、滞留点の判別の精度を向上できる。
【図面の簡単な説明】
【００１４】
【図１】図１は、第１の実施形態に係る情報解析装置を含む情報解析システムの一例を示すブロック図である。
【図２】図２は、第１の実施形態に係る送受信部の一例を示すブロック図である。
【図３】図３は、第１の実施形態に係る解析部の構成の一例を示すブロック図である。
【図４】図４は、第１の実施形態に係る位置情報ログの一例を示す図である。
【図５】図５は、第１の実施形態に係る記憶部の構成の一例を示すブロック図である。
【図６】図６は、第１の実施形態に係る位置情報ログの配置の一例を示す図である。
【図７】図７は、第１の実施形態に係る情報解析装置の別の構成の一例を示すブロック図である。
【発明を実施するための形態】
【００１５】
次に、本発明の実施形態について図面を参照して説明する。
【００１６】
（第１の実施形態）
図１は、本発明の第１の実施形態に係る情報解析装置１を含む情報解析システム９の一例を示すブロック図である。
【００１７】
情報解析システム９は、情報解析装置１と、端末装置２と、基地局３と、基準情報送信装置４と、ネットワーク５と、サービス提供装置６とを含む。
【００１８】
端末装置２は、利用者がサービスの提供を受けるために使用する装置である。端末装置２は、無線通信を用いて基地局３と情報を送受信する。そして、端末装置２は、端末装置２の位置に関する情報（又は、利用者の位置に関する情報）を、基地局３及びネットワーク５を介して、情報解析装置１に送る。また、端末装置２は、サービスのための情報を、ネットワーク５及び基地局３を介して、サービス提供装置６から受け取る。本実施形態に係る端末装置２は、一般的な携帯電話や通信端末機器のように、位置情報を取得して、情報解析装置１に情報を送信できればよい。そのため、端末装置２の詳細な説明は、省略する。
【００１９】
基地局３は、無線通信を用いて端末装置２から受信した情報をネットワーク５に送り、ネットワーク５からの情報を端末装置２に送る。基地局３は、端末装置２をネットワーク５に接続できればよく、無線の種類などは限られない。例えば、基地局３は、携帯電話通信網の基地局でもよく、無線ＬＡＮの親機やルータでもよい。そのため、基地局３の詳細な説明は、省略する。
【００２０】
なお、図１に示す端末装置２は、無線を用いて基地局３を介してネットワーク５に接続している。しかし、本実施形態の端末装置２は、ネットワーク５との接続を無線通信に限る必要はない。端末装置２は、例えば、有線通信を用いてネットワーク５に接続しても良い。
【００２１】
基準情報送信装置４は、情報解析装置１が解析に用いる基準情報を送信する。基準情報送信装置４は、一般的なサーバ装置など、ネットワーク５を介して情報解析装置１に基準情報を送信できれば良い。そのため、基準情報送信装置４の詳細な説明は、省略する。
【００２２】
ネットワーク５は、各装置を接続する通信手段である。ネットワーク５は、インターネットやＬＡＮ（Local Area Network）のような一般的な通信網でよく、特に制限などはない。そのため、ネットワーク５の詳細な説明は、省略する。
【００２３】
サービス提供装置６は、情報解析装置１から端末装置２の利用者が滞留する位置（以下、「滞留点」と言う。）に関する情報を受け取り、端末装置２にサービスを提供するための情報を送信する。サービス提供装置６は、ネットワーク５を介してサービスを提供する一般的な位置情報サービス装置でよい。そのため、サービス提供装置６の詳細な説明は、省略する。
【００２４】
情報解析装置１は、端末装置２から受け取った情報を解析し、滞留点に関する情報を判別する。そして、情報解析装置１は、滞留点に関する情報を、所定のタイミング（例えば、サービス提供装置６からの要求時など）で、サービス提供装置６に送る。これらの機能を実現するため、情報解析装置１は、送受信部１０と、解析部２０と、記憶部３０とを含む。
【００２５】
送受信部１０は、端末装置２から、「解析に用いる情報」を受信する。本実施形態の説明では、解析に用いる情報は、一例として、端末装置２の位置に関する情報（位置情報）と、位置情報を測位した時間に関する情報（時間情報）と含む情報とする。そして、送受信部１０は、解析に用いる情報を解析部２０に送る。また、送受信部１０は、基準情報送信装置４から、解析部２０が使用する「基準情報」を受け取り、解析部２０に送る。さらに、送受信部１０は、解析部２０から滞留点に関する情報（滞留点情報）を受け取り、所定のタイミングで、サービス提供装置６に送る。
【００２６】
解析部２０は、送受信部１０が受信した解析に用いる情報を、基準情報に応じて解析し、滞留点と、利用者が行き来する経路（以下、「移動経路」と言う。）とを抽出する。なお、以下、この抽出した滞留点と移動経路を合わせて「行動パタン情報」と言う。また、解析部２０は、送受信部１０から受け取った情報、解析の過程で発生する複数の解析結果、及び、複数の抽出結果の一部又は全てを、記憶部３０に記憶しもてよい。さらに、解析部２０は、サービス提供装置６に送付する滞留点に関する情報を、送受信部１０に送る。
【００２７】
記憶部３０は、解析部２０から受け取った情報を記憶する。また、記憶部３０は、記憶した情報を解析部２０に渡す。
【００２８】
なお、情報解析装置１とサービス提供装置６とは、別の装置とする必要はなく、同じ装置としてもよい。この場合、情報解析装置１とサービス提供装置６との情報の送受信動作は、装置内部での動作となる。
【００２９】
また、図１に示した情報解析システム９が含む各装置の数は、例示である。例えば、情報解析システム９は、端末装置２を１台以上含めばよい。また、情報解析システム９は、基地局３を、１台含んでもよく、２台より多く含んでもよい。さらに、既に説明したように端末装置２が直接ネットワーク５に接続する場合、情報解析システム９は、基地局３を含まなくてもよい。
【００３０】
次に、図面を参照して本実施形態に係る情報解析装置１についてさらに説明する。
【００３１】
まず、情報解析装置１の送受信部１０について説明する。
【００３２】
図２は、第１の実施形態に係る情報解析装置１の送受信部１０の構成の一例を示すブロック図である。図２において、図の煩雑さを避けるため、基地局３及びネットワーク５を省略している。
【００３３】
送受信部１０は、位置情報受信部１１と、解析基準情報受信部１２と、滞留点情報送信部１３とを含む。
【００３４】
位置情報受信部１１は、利用者が所持する端末装置２から解析に用いる情報（以下、「端末位置情報」と言う。）を受信する。本実施形態に係る端末位置情報は、少なくとも、位置に関する情報と、時間に関する情報とを含む情報である。より具体的に説明すると、端末位置情報は、緯度・経度・高度など端末装置２の位置に関する情報（位置情報）と、位置に関する情報を測位した日時など時間に関する情報（時間情報）とを含む。言い換えると、端末位置情報は、端末装置２の測位位置及び測位時間を含む情報である。位置情報受信部１１は、受信した端末位置情報を解析部２０に送る。
【００３５】
解析基準情報受信部１２は、基準情報送信装置４から、解析部２０が滞留点を解析するときに基準として使用する「基準情報」を受け取る。そして、解析基準情報受信部１２は、受信した基準情報を解析部２０に送る。本実施形態に係る基準情報は、特に制限はない。一例として、本実施形態の説明の基準情報は、「木曜日」若しくは「土曜日と日曜日」のような解析の対象となる曜日（以下、「曜日基準」と言う。）、又は、「午前３時」のような解析の対象とする時刻（以下、「時刻基準」と言う。）とする。つまり、本実施形態の情報解析装置１は、基準情報として、時間情報を用いるとする。
【００３６】
滞留点情報送信部１３は、解析部２０から受け取った滞留点に関する情報（滞留点情報）をサービス提供装置６に送る。
【００３７】
次に解析部２０について説明する。
【００３８】
図３は、本実施形態に係る解析部２０の構成の一例を示すブロック図である。
【００３９】
解析部２０は、クラスタリング空間プロット部２１と、滞留点クラスタ抽出部２２と、位置情報ログマップマッチング部２３と、非滞留点位置情報ログ抽出部２４と、移動経路クラスタ抽出部２５と、滞留点移動経路判別部２６とを含む。
【００４０】
解析部２０を構成する各部（ユニット）は、プログラム制御に基づいて動作するＣＰＵ（中央処理装置：Central Processing Unit）を含むコンピュータ回路で構成されても良い。すなわち、クラスタリング空間プロット部２１と、滞留点クラスタ抽出部２２と、位置情報ログマップマッチング部２３と、非滞留点位置情報ログ抽出部２４と、移動経路クラスタ抽出部２５と、滞留点移動経路判別部２６とは、それぞれＣＰＵを含む処理ユニットを構成し、またはＣＰＵの機能に対応する。ＣＰＵを制御するプログラムは、図示しない非揮発性メモリあるいは、記憶部３０に格納されても良い。また、ＣＰＵの数は、１つに限定されない。
【００４１】
次に、解析部２０の各部（ユニット）の動作について説明する。
【００４２】
本実施形態の説明で用いるクラスタリング空間は、緯度、経度、高度といった位置を示す座標軸に加え、時刻を示すための座標軸（時間軸）を用いて表される空間である。言い換えると、クラスタリング空間とは、位置情報及び時間情報に基づき規定される多次元空間である。なお、本実施形態に係るクラスタリング空間の次元は、特に制限などはない。一例として、以下の説明において、特に断らない限り、クラスタリング空間の次元は、緯度・経度・時間の３次元とする。
【００４３】
クラスタリング空間プロット部２１は、送受信部１０から受け取った基準情報（例えば、曜日基準又は時刻基準）を保持する。ただし、クラスタリング空間プロット部２１は、基準情報を記憶部３０に送って記憶し、必要に応じて取り出しても良い。
【００４４】
なお、クラスタリング空間プロット部２１は、基準情報を、基準情報送信装置４以外から受け取ってもよい。例えば、クラスタリング空間プロット部２１は、図示しない記憶媒体読み取り手段を用いて、図示しない記憶媒体から基準情報を読み出してもよい。また、クラスタリング空間プロット部２１は、情報解析装置１の管理者が操作する図示しない入力装置から基準情報を受け取っても良い。
【００４５】
基準情報を受信後、クラスタリング空間プロット部２１は、送受信部１０から、端末位置情報を受信する。
【００４６】
クラスタリング空間プロット部２１は、受信した端末位置情報を基に、解析部２０が解析に用いる「位置情報ログ」を作成する。位置情報ログは、端末位置情報に加え、例えば、位置情報ログを一意に識別する識別子（ログＩＤ（Identification））を含む。本実施形態に係るログＩＤは、位置情報ログを判別できればよく、数値、文字、数値と文字の組合せなど、特に制限はない。以下では、一例として、ログＩＤを、数字として説明する。
【００４７】
なお、本実施形態の位置情報ログは、上記以外の情報を含んでいても良い。例えば、位置情報ログは、位置情報ログの利用者に関する情報（識別情報）、つまり、位置情報ログを送信した端末装置２を識別するための識別子や、端末装置２の利用者を識別するための識別子（以下、合わせて「利用者識別子」と言う。）を含んでいてもよい。
【００４８】
図４は、位置情報ログの一例を示す図である。図４に例示する位置情報ログは、ログＩＤと、利用者識別子と、測位時間と、緯度と、経度とを含む。
【００４９】
図３に戻り説明を続ける。
【００５０】
クラスタリング空間プロット部２１は、位置情報ログを、位置情報ログマップマッチング部２３に送る。なお、クラスタリング空間プロット部２１は、端末位置情報、及び／又は、位置情報ログを記憶部３０に送って、記憶しても良い。
【００５１】
そして、クラスタリング空間プロット部２１は、基準情報を基に、解析対象の位置情報ログを選別する。例えば、基準情報が曜日基準の場合、クラスタリング空間プロット部２１は、曜日基準の曜日に該当する位置情報ログを、解析対象として選別する。また、基準情報が時刻基準の場合、クラスタリング空間プロット部２１は、時刻基準から所定の時間範囲の位置情報ログを、解析対象として選別する。
【００５２】
そして、クラスタリング空間プロット部２１は、選別した解析対象の位置情報ログを滞留点クラスタ抽出部２２及び非滞留点位置情報ログ抽出部２４に送る。クラスタリング空間プロット部２１は、滞留点クラスタ抽出部２２及び非滞留点位置情報ログ抽出部２４に、位置情報ログをそのまま送付してもよい。しかし、滞留点クラスタ抽出部２２及び非滞留点位置情報ログ抽出部２４での解析を容易にするため、本実施形態のクラスタリング空間プロット部２１は、解析対象となる位置情報ログをクラスタリング空間に配置（プロット（plot））し、プロットした情報を送付する。ここで、位置情報ログをクラスタリング空間に配置（プロット）するとは、位置情報ログをクラスタリング空間の座標（緯度、軽度、時間の３次元座標）で表現することを意味する。クラスタリング空間にプロットされた位置情報ログを、以下、「クラスタリング空間にプロットされた情報」又は「クラスタリング空間情報」と言う。つまり、クラスタリング空間プロット部２１は、クラスタリング空間情報を、滞留点クラスタ抽出部２２及び非滞留点位置情報ログ抽出部２４に送る。なお、クラスタリング空間プロット部２１は、クラスタリング空間情報を記憶部３０に送って、記憶してもよい。
【００５３】
滞留点クラスタ抽出部２２は、クラスタリング空間プロット部２１からクラスタリング空間情報を受け取り、群に分け（クラスタリング（clustering）して）、端末装置２の利用者が滞留している位置（滞留点）を抽出する。より詳細に説明すると、滞留点クラスタ抽出部２２は、クラスタリング手法を適用し、クラスタリング空間上の距離が近い位置情報ログの集合（群、またはクラスタ）を抽出する。この抽出したクラスタの中の各位置情報ログで表される位置が、「滞留点」となる。以下、この抽出した滞留点に対応する位置情報ログの集合を「滞留点パタン情報」と言う。また、以下、滞留点クラスタ抽出部２２が抽出したクラスタを「第１のクラスタ」と言う。
【００５４】
なお、本実施形態の滞留点クラスタ抽出部２２が用いるクラスタリング手法は、特に制限はなく、一般的なクラスタリング手法を使用すればよい。例えば、滞留点クラスタ抽出部２２は、期待値最大化手法（ＥＭアルゴリズム：Expectation Maximization Algorithm）や階層型クラスタリング（Hierarchical Clustering）を用いればよい。
【００５５】
滞留点クラスタ抽出部２２は、抽出した滞留点パタン情報を、非滞留点位置情報ログ抽出部２４及び滞留点移動経路判別部２６に送る。
【００５６】
なお、滞留点クラスタ抽出部２２は、滞留点パタン情報を記憶部３０に送り、記憶しても良い。
【００５７】
さらに、後ほど説明するように、滞留点クラスタ抽出部２２は、滞留点移動経路判別部２６から移動経路候補ログを受け取り、再クラスリングした滞留点パタン情報を抽出する。
【００５８】
また、滞留点クラスタ抽出部２２は、滞留点パタン情報を基に、所定のタイミングで、サービス提供装置６が用いる滞留点に関する情報（滞留点情報）を生成し、送受信部１０に送る。例えば、滞留点クラス抽出部２２は、情報解析装置１がサービス提供装置６から滞留点情報の要求を受けたとき、滞留点情報を送受信部１０に送ればよい。
【００５９】
なお、クラスタリング空間プロット部２１が、クラスタリング空間情報を記憶部３０に記憶した場合、滞留点クラス抽出部２２は、記憶部３０からクラスタリング空間情報を取り出しても良い。
【００６０】
位置情報ログマップマッチング部２３は、クラスタリング空間プロット部２１から受け取った位置情報ログと、所定のマップ情報から抽出される交通機関（鉄道路線やバス）や道路の位置情報（緯度・経度・高度）とを比較し、鉄道路線や道路から所定の距離に含まれる位置情報ログを含む「経路情報」を抽出する。ここで、所定の距離は、交通機関を利用しての移動中に位置するであろう、交通機関や道路の位置に対する距離である。所定の距離は、場所により異なってもよい。例えば、鉄道の駅間の線路上の場合、所定の距離は、概ね線路の幅程度の距離となる。一方、鉄道とバスなどの乗換駅ならば、駅の大きさにバスターミナルの大きさ、及び、券売場等など加えた距離とすればよい。さらに、所定の距離は、測定の誤差を見込んだ余裕を含んだ値でもよい。位置情報ログマップマッチング部２３は、抽出した経路情報を非滞留点位置情報ログ抽出部２４に送る。位置情報ログマップマッチング部２３は、抽出した移動経路を記憶部３０に送り、記憶しても良い。ここで、経路情報は、移動経路として予測される交通機関または道路の位置を含む経路における位置情報ログである。
【００６１】
なお、鉄道路線や道路の情報は、位置情報ログマップマッチング部２３が予め記憶していてもよく、図示しない記憶装置又は記憶部３０に保持し、必要に応じて位置情報ログマップマッチング部２３が取り出しても良い。
【００６２】
また、本実施形態に係る位置情報ログマップマッチング部２３は、経路情報を抽出する位置情報ログに範囲を制限してもよい。例えば、位置情報ログマップマッチング部２３は、クラスタリング空間情報を受け取り、解析対象として抽出された位置情報ログを基に経路情報を抽出してもよい。
【００６３】
なお、クラスタリング空間プロット部２１が、位置情報ログを記憶部３０に記憶した場合、位置情報ログマップマッチング部２３は、記憶部３０から位置情報ログを取り出しても良い。
【００６４】
非滞留点位置情報ログ抽出部２４は、クラスタリング空間プロット部２１から受け取ったクラスタリング空間情報から、次に示すいずれかの条件を備える位置情報ログを抽出する。
【００６５】
条件１）滞留点クラスタ抽出部２２から受け取った滞留点パタン情報に含まれない位置情報ログ。
【００６６】
条件２）滞留点クラスタ抽出部２２から受け取った滞滞留点パタン情報と、位置情報ログマップマッチング部２３から受け取った経路情報とに含まれる位置情報ログ。
【００６７】
非滞留点位置情報ログ抽出部２４が抽出した位置情報ログを、以下、「非滞留点候補ログ」と言う。
【００６８】
非滞留点位置情報ログ抽出部２４は、非滞留点候補ログを移動経路クラスタ抽出部２５に送る。非滞留点位置情報ログ抽出部２４は、抽出した非滞留点候補ログを記憶部３０に送り、記憶しても良い。
【００６９】
なお、各情報（クラスタリング空間情報、滞留点パタン情報、経路情報）のいずれか又は全てが記憶部３０に保存されている場合、非滞留点位置情報ログ抽出部２４は、記憶部３０から情報を取り出しても良い。
【００７０】
移動経路クラスタ抽出部２５は、非滞留点位置情報ログ抽出部２４から受け取った非滞留点候補ログをクラスタリングする。このクラスタリングは、クラスタリング空間上の距離が近い位置情報ログの集合（クラスタ）を抽出する。クラスタリングにおいては、複数のクラスタが抽出される場合がある。さらに、移動経路クラスタ抽出部２５は、各クラスタに含まれる位置情報ログを抽出する。以下、移動経路クラスタ抽出部２５が抽出した位置情報ログを、「移動経路パタン情報」と言う。また、移動経路クラスタ抽出部２５は、抽出した移動経路パタン情報を滞留点移動経路判別部２６に送る。また、移動経路クラスタ抽出部２５のクラスタリングの結果のクラスタを、以下「第２のクラスタ」と言う。
【００７１】
なお、移動経路クラスタ抽出部２５は、移動経路パタン情報を記憶部３０に送っても良い。
【００７２】
また、非滞留点候補ログが記憶部３０に記憶されている場合、移動経路クラスタ抽出部２５は、記憶部３０から非滞留点候補ログを取り出してもよい。
【００７３】
滞留点移動経路判別部２６は、滞留点クラスタ抽出部２２からの滞留点パタン情報と、移動経路クラスタ抽出部２５からの移動経路パタン情報とを比較し、両方に含まれる位置情報ログ（以下、「共通位置情報ログ」と言う。）を判別する。そして、滞留点移動経路判別部２６は、判別した共通位置情報ログを基に、移動経路に含まれる可能性の高い位置情報ログを含む移動経路候補ログと、滞留点に含まれる可能性の高い位置情報ログを含む滞留点候補ログを抽出する。
【００７４】
滞留点移動経路判別部２６は、それぞれの候補ログの抽出にいろいろな手法を使用できる。
【００７５】
＜第１の抽出手法＞
移動経路パタン情報に含まれる位置情報ログから所定の時間範囲の移動経路パタン情報に含まれる位置情報ログは、移動経路ログである可能性が高い。また、共通位置情報ログは、移動経路パタン情報に含まれる位置情報である。
【００７６】
そこで、滞留点移動経路判別部２６は、共通位置情報ログが含む時間情報（日時）を基に、その時間情報から所定の範囲の時間に含まれる位置情報ログを、移動経路パタン情報から検索する。位置情報ログが検索された場合、滞留点移動経路判別部２６は、検索された位置情報ログを「移動経路候補ログ」に含める。つまり、滞留点移動経路判別部２６は、共通位置情報ログに時間的に近い移動経路パタン情報に含まれる位置情報ログを移動経路候補ログに含める。
【００７７】
全ての共通位置情報ログについて検索を実行した後、滞留点移動経路判別部２６は、移動経路候補ログを滞留点クラスタ抽出部２２に送る。滞留点移動経路判別部２６は、移動経路候補ログを記憶部３０に送り、記憶しても良い。
【００７８】
また、滞留点パタン情報に含まれる位置情報ログから所定の時間範囲において滞留点パタン情報に含まれる位置情報ログは、滞留点である可能性が高い。また、共通位置情報ログは、滞留点パタン情報に含まれる位置情報ログである。
【００７９】
そこで、滞留点移動経路判別部２６は、共通位置情報ログが含む時間情報（日時）を基に、その時間情報から所定の時間の範囲に含まれる位置情報ログを、滞留点パタン情報から検索する。位置情報ログが検索された場合、滞留点移動経路判別部２６は、検索された位置情報ログを「滞留点候補ログ」に含める。つまり、滞留点移動経路判別部２６は、共通位置情報ログに時間的に近い滞留点パタン情報に含まれる位置情報ログを滞留点候補ログに含める。
【００８０】
全ての共通位置情報ログについて検索を実行した後、滞留点移動経路判別部２６は、滞留点候補ログを、非滞留点位置情報ログ抽出部２４に送る。なお、滞留点移動経路判別部２６は、滞留点候補ログを記憶部３０に送り、記憶しても良い。
【００８１】
なお、同じ位置情報ログが移動経路候補ログと滞留点候補ログとに含まれる場合、滞留点移動経路判別部２６は、所定の判断手法を基に、移動経路候補ログ又は滞留点候補ログのいずれかの位置情報ログを削除する。この両方の候補ログに含まれる位置情報ログを、以下「多重候補位置情報ログ」と言う。
【００８２】
例えば、滞留点移動経路判別部２６は、次のような手法を利用できる。
【００８３】
滞留点移動経路判別部２６は、多重候補位置情報ログの時間情報を、移動経路候補ログを検索したとき基とした共通位置情報ログの時間情報、及び、滞留点候補ログを検索したとき基とした共通位置情報ログの時間情報と比較する。そして、滞留点移動経路判別部２６は、多重候補位置情報ログを、多重候補位置情報ログの時間情報と近い共通位置情報ログを基とした候補ログに含まれると判断する。そして、滞留点移動経路判別部２６は、含まれるとした候補ログに含まれる位置情報ログを残し、他の候補ログに含まれる位置情報ログを削除する。
【００８４】
具体的な数値を用いて説明すると次のようになる。
【００８５】
多重候補位置情報ログの時間情報が、「2011-11-01 11:00:00」とする。そして、移動経路候補ログに含ませるときに基となった共通位置情報ログの時間情報が、「2011-11-01 11:05:20」とする。また、滞留点候補ログに含ませるときに基となった共通位置情報ログの時間情報が、「2011-11-01 11:06:40」とする。このとき、多重候補位置情報ログの時間情報は、移動経路候補ログの基となった共通位置情報ログの時間情報の方がより近い。そこで、滞留点移動経路判別部２６は、「移動経路候補ログ」の位置情報ログを残し、「滞留点候補ログ」の位置情報ログを削除する。
【００８６】
さらに、基とした共通位置情報ログの時間情報も同じ場合がある。この場合、滞留点移動経路判別部２６は、予めどちらか候補ログの位置情報ログを削除するか決めておけばよい。本実施形態の滞留点移動経路判別部２６は、滞留点との判別を厳しくするため、移動経路候補ログに位置情報ログを残し、滞留点候補ログから位置情報ログを削除するものとする。
【００８７】
＜第２の抽出手法＞
また、滞留点移動経路判別部２６は、次のような手法を用いてもよい。
【００８８】
滞留点移動経路判別部２６は、共通位置情報ログが含まれるクラスタを検索する。滞留点移動経路判別部２６は、このクラスタとして、例えば、滞留点クラスタ抽出部２２の結果（第１のクラスタ）や非滞留点位置情報ログ抽出部２４の結果（第２のクラスタ）を用いても良い。
【００８９】
そして、滞留点移動経路判別部２６は、移動経路パタン情報からそのクラスタに含まれる位置情報ログを抽出する。この抽出結果の位置情報ログを、以下、「第３のクラスタ」と言う。第３のクラスタの位置情報ログは、共通位置情報ログの同じクラスタに含まれ、移動経路である可能性が高い位置情報ログである。
【００９０】
滞留点移動経路判別部２６は、第３のクラスタに含まれる位置情報ログと、交通機関（例えば、鉄道路線や主要道路）の位置（緯度・経度）情報とを比較し、第３のクラスタの位置情報ログと交通機関との「平均距離」を求める。また、滞留点移動経路判別部２６は、共通位置情報ログと交通機関との距離を求める。そして、滞留点移動経路判別部２６は、平均距離と、共通位置情報ログと交通機関の距離とを比較する。
【００９１】
共通位置情報ログの距離が平均距離より短い場合、共通位置情報ログは、移動経路である可能性が高い。そこで、滞留点移動経路判別部２６は、共通位置情報ログを移動経路候補ログに属する位置情報ログと決定する。
【００９２】
共通位置情報ログの距離が平均距離より長い場合、共通位置情報ログは、移動経路である可能性が低い。そこで、滞留点移動経路判別部２６は、共通位置情報ログを滞留点候補ログに属する位置情報ログと決定する。
【００９３】
共通位置情報ログの距離が平均距離と同じ場合、滞留点移動経路判別部２６は、共通位置情報ログを、どちらか一方の候補ログに属する位置情報ログと決定すればよい。本実施形態に係る滞留点移動経路判別部２６は、滞留点の条件を厳しくするため、移動経路候補ログの位置情報ログとする。
【００９４】
なお、滞留点移動経路判別部２６は、平均距離に加え、第３のクラスタの位置情報ログと交通機関の位置情報との距離の「標準偏差（又は標準偏差の所定倍）」を用いても良い。この場合、滞留点移動経路判別部２６は、上記の「平均距離」を「平均距離＋（所定倍の）標準偏差」に置き換えればよい。
【００９５】
以上で、滞留点移動経路判別部２６における第２の抽出方法の説明を終了する。
【００９６】
滞留点移動経路判別部２６から移動経路候補ログを受け取ると、滞留点クラスタ抽出部２２は、受け取った移動経路候補ログに含まれている位置情報ログをクラスタリング空間情報から除いて再クラスタリングし、滞留点パタン情報を抽出する。つまり、滞留点クラスタ抽出部２２は、移動経路候補ログを基に使用するクラスタリング空間情報を改善（変更）し、改善した（変更された）滞留点パタン情報を抽出する。滞留点パタン情報が改善されるため、滞留点クラスタ抽出部２２は、サービス提供装置６に送る滞留点情報を改善することができる。
【００９７】
また、滞留点移動経路判別部２６から滞留点候補ログを受け取ると、非滞留点位置情報ログ抽出部２４は、受け取った滞留点候補ログに含まれる位置情報ログを、クラスタリング空間情報から除いて、非滞留点候補ログを再抽出する。つまり、非滞留点位置情報ログ抽出部２４は、滞留点候補ログを基に使用するクラスタリング空間情報を改善（変更）し、改善後（変更後）の非滞留点候補ログを抽出する。その結果、移動経路クラスタ抽出部２５は、改善した移動経路パタン情報を抽出できる。
【００９８】
滞留点パタン情報と移動経路パタン情報が向上するため、滞留点移動経路判別部２６は、より正確な移動経路候補ログと滞留点候補ログとを改善できる。
【００９９】
なお、滞留点移動経路判別部２６は、少なくとも移動経路候補ログだけを抽出するようにしてもよい。
【０１００】
解析部２０は、この動作を、所定の回数、又は、所定の条件を満たすまで繰り返す。例えば、解析部２０は、滞留点クラスタ抽出部２２が抽出する滞留点パタン情報（第１のクラスタ）が変化しなくなるまで、つまり、滞留点パタン情報が安定するまで繰り返せばよい。
【０１０１】
なお、解析部２０は、本実施形態に係る情報解析装置１の最小構成となっている。
【０１０２】
次に記憶部３０について説明する。
【０１０３】
記憶部３０は、解析部２０から情報を受け取り、記憶し、解析部２０に記憶した情報を返す。そのため、本実施形態の記憶部３０は、磁気ディスク装置や半導体メモリなど一般的な記憶装置でよい。また、記憶部３０は、情報を１つの記憶装置で記憶してもよく、論理的又は物理的に複数の装置に記憶してよい。さらに、記憶部３０の一部又は全部は、解析部２０が含む図示しない記憶手段でも良い。
【０１０４】
図５は、本実施形態に記憶部３０の一例を示すブロック図である。
【０１０５】
図５に示す記憶部３０は、滞留点パタン保存部３１と、移動経路パタン保存部３２と、マップマッチング情報保存部３３と、滞留点移動経路判別保存部３４とを含む。
【０１０６】
滞留点パタン保存部３１は、滞留点クラスタ抽出部２２が抽出した滞留点パタン情報を保存する。
【０１０７】
移動経路パタン保存部３２は、移動経路クラスタ抽出部２５が抽出した移動経路パタン情報を保存する。
【０１０８】
マップマッチング情報保存部３３は、位置情報ログマップマッチング部２３が抽出した移動経路を保存する。
【０１０９】
滞留点移動経路判別保存部３４は、滞留点移動経路判別部２６が抽出した移動経路候補ログ及び滞留点候補ログを保存する。
【０１１０】
次に図１乃至図６を参照して、より具体的な情報解析装置１の動作を説明する。
【０１１１】
この説明は、例えば、利用者の端末装置２に搭載されたＧＰＳを利用し、位置情報及び位置情報の取得時刻を記録するようなライフログサービスに本発明を適用した場合の説明である。
【０１１２】
図６は、クラスタリング空間にプロットされた本説明で用いる位置情報ログの配置を示す図である。なお、図６では、位置情報ログは、所定の時間範囲に含まれとし、時間情報を省略し、２次元で示されている。図６に示す“Ｘ”は、位置情報ログの位置を示す。また、“Ｘ”に添付する数値は、ログＩＤを示す。なお、以下の説明において、位置情報ログは、適宜、ログＩＤをカッコ内に示す。例えば、ログＩＤ＝１００１の位置情報ログは、位置情報ログ(1001)と示す。
【０１１３】
予め、基準情報送信装置４は、基準情報を情報解析装置１に送信する。
【０１１４】
情報解析装置１のクラスタリング空間プロット部２１は、解析基準情報受信部１２を介して基準情報を受け取り、記憶する。
【０１１５】
端末装置２は、所定の時刻にＧＰＳを用いて位置情報を取得し、取得した位置情報や時間情報を含む端末位置情報を情報解析装置１に送る。
【０１１６】
クラスタリング空間プロット部２１は、位置情報受信部１１を介して受け取った端末位置情報にログＩＤを加え位置情報ログを生成する。クラスタリング空間プロット部２１は、位置情報ログをクラスタリング空間にプロットし、クラスタリング空間情報として滞留点クラスタ抽出部２２に送る。
【０１１７】
図６は、位置情報ログの例として８個の位置情報ログを示している。
【０１１８】
位置情報ログ(1001)と位置情報ログ(1002)と位置情報ログ(1003)と位置情報ログ(1005)と位置情報ログ(1007)が、滞留点クラスタに含まれる位置情報ログである。位置情報ログ(1003)と位置情報ログ(1004)と位置情報ログ(1006)と位置情報ログ(1007)が、交通機関での移動中の位置情報ログである。位置情報ログ(1008)は、どちらにも含まれない位置情報ログである。
【０１１９】
滞留点クラスタ抽出部２２は、クラスタリング空間情報をクラスタリングし、滞留点パタン情報を抽出する。図６に示す位置情報ログの場合、滞留点クラスタ抽出部２２は、位置情報ログ(1001)と位置情報ログ(1002)と位置情報ログ(1003)と位置情報ログ(1005)と位置情報ログ(1007)を滞留点パタン情報として抽出する。
【０１２０】
位置情報ログマップマッチング部２３は、位置情報ログと交通機関に関する情報とを比較し、移動経路に対応する経路情報を抽出する。
【０１２１】
非滞留点位置情報ログ抽出部２４は、位置情報ログと、滞留点パタン情報と、経路情報とを基に、非滞留点候補ログを抽出する。図６の場合、非滞留点位置情報ログ抽出部２４は、位置情報ログ(1003)と位置情報ログ(1004)と位置情報ログ(1006)と位置情報ログ(1007)と位置情報ログ(1008)を非滞留点候補ログとして抽出する。
【０１２２】
移動経路クラスタ抽出部２５は、非滞留点候補ログをクラスタリングする。このクラスタリングでは、クラスタリング空間上の距離が近い位置情報ログの集合（クラスタ）を抽出する。次に、移動経路クラスタ抽出部２５は、クラスタリングされた位置情報ログの集合を移動経路パタン情報として抽出する。ここでは、移動経路クラスタ抽出部２５は、非滞留点候補ログ（位置情報ログ(1003)と位置情報ログ(1004)と位置情報ログ(1006)と位置情報ログ(1007)と位置情報ログ(1008)）から、位置情報ログ(1003)と位置情報ログ(1007)とを移動経路パタン情報として抽出する。
【０１２３】
滞留点移動経路判別部２６は、滞留点パタン情報と移動経路パタン情報とに含まれる位置情報ログを判別する。図６の場合、滞留点移動経路判別部２６は、滞留点パタン情報と移動経路パタン情報との含まれるとして、位置情報ログ(1003)と位置情報ログ(1007)、とを判別する。
【０１２４】
この後、滞留点移動経路判別部２６は、位置情報ログの時間情報を基に、移動経路候補ログと滞留点候補ログとを抽出する。
【０１２５】
ここでは、説明を解りやすくするため、位置情報ログ(1003)と位置情報ログ(1007)とも、移動経路候補ログに含まれるとする。
【０１２６】
滞留点移動経路判別部２６は、抽出した移動経路候補ログ（位置情報ログ(1003)と位置情報ログ(1007)）を、滞留点クラスタ抽出部２２に送る。
【０１２７】
滞留点クラスタ抽出部２２は、移動経路候補ログを受け取り、移動経路候補ログに含まれる位置情報ログ（位置情報ログ(1003)と位置情報ログ(1007)）を除いてクラスタリングする。その結果、滞留点クラスタ抽出部２２は、改善後の滞留点クラスタの滞留点パタン情報（位置情報ログ(1001)と位置情報ログ(1002)と位置情報ログ(1005)）をクラスタとして抽出する。
【０１２８】
非滞留点位置情報ログ抽出部２４は、同様に、滞留点候補ログを受け取り、非滞留点候補ログを再抽出すれば良いため、詳細な説明は省略する。
【０１２９】
このように、本実施形態に係る情報解析装置１は、滞留点の判別を向上できる。
【０１３０】
その理由は、次のとおりである。
【０１３１】
本実施形態に係る情報解析装置１は、位置情報ログを基に、滞留点の位置情報ログを含む滞留点パタン情報を求める。さらに、情報解析装置１は、位置情報ログ及び交通機関の情報と基に、移動経路の位置情報ログを含む移動経路パタン情報を求める。そして、情報解析装置１は、滞留点パタン情報と移動経路パタン情報とを基に、移動経路の含まれる可能性の高い位置情報ログを含む移動経路候補ログと求める。そして、情報解析装置１は、移動経路候補ログを基に、滞留点パタン情報を改善できるためである。
【０１３２】
また、情報解析装置１は、滞留点パタン情報と移動経路パタン情報とを基に、滞留点に含まれる可能性の高い位置情報ログを含む滞留点候補ログと求める。そして、情報解析装置１は、滞留点候補ログを基に、移動経路パタン情報を改善できる。そして、情報解析装置１は、改善した移動経路パタン情報を基に、移動経路候補ログを改善できるためである。
【０１３３】
なお、本実施形態の構成は、これまでの説明に限られるわけではない。例えば、本実施形態の情報解析装置１の構成は、１つの構成を複数の構成で実現してもよく、複数の構成を１つの構成で実現しても良い。
【０１３４】
図７は、本実施形態の情報解析装置を、コンピュータ回路を用いて実現した構成の一例を示すブロック図である。
【０１３５】
情報解析装置７は、ＣＰＵ７１と、ＲＯＭ（Read Only Memory）７２と、ＲＡＭ（Random Access Memory）７３と、記憶装置７４と、ＮＩＣ（Network Interface Card）７５とを含む。なお、情報解析装置７は、これらの構成を含み、情報処理装置（コンピュータ）を構成している。
【０１３６】
ＣＰＵ７１は、ＲＯＭ７２に含まれるプログラムを読み出し、情報解析装置１の解析部２０に含まれる各手段の動作を実現する。ＣＰＵ７１は、その動作において、作業用メモリ又は一時記憶手段としてＲＡＭ７３を使用する。
【０１３７】
また、記憶装置７４は、情報解析装置１の記憶部３０と同様に各情報を記憶して、記憶部３０に含まれる各手段の動作を実現する。
【０１３８】
さらに、ＣＰＵ７１は、ＲＯＭ７２に含まれるプログラムに従い、ＮＩＣ７５を経由してネットワーク５を介して情報をやり取りし、送受信部１０の各手段の動作を実現する。
【０１３９】
バス７６は、ＣＰＵ７１、ＲＯＭ７２、ＲＡＭ７３、記憶装置７４、ＮＩＣ７５を接続する。
【０１４０】
なお、情報解析装置７は、コンピュータで読み出し可能な記憶媒体７７に含まれるプログラムを図示しない読み出し手段を用いて読み出して動作しても良い。
【０１４１】
以上、実施形態を参照して本願発明を説明したが、本願発明は上記実施形態に限定されものではない。本願発明の構成や詳細には、本願発明のスコープ内で当業者が理解し得る様々な変更をすることができる。
【符号の説明】
【０１４２】
１    情報解析装置
２    端末装置
３    基地局
４    基準情報送信装置
５    ネットワーク
６    サービス提供装置
７    情報解析装置
９    情報解析システム
１０    送受信部
１１    位置情報受信部
１２    解析基準情報受信部
１３    滞留点情報送信部
２０    解析部
２１    クラスタリング空間プロット部
２２    滞留点クラスタ抽出部
２３    位置情報ログマップマッチング部
２４    非滞留点位置情報ログ抽出部
２５    移動経路クラスタ抽出部
２６    滞留点移動経路判別部
３０    記憶部
３１    滞留点パタン保存部
３２    移動経路パタン保存部
３３    マップマッチング情報保存部
３４    滞留点移動経路判別保存部
７１    ＣＰＵ
７２    ＲＯＭ
７３    ＲＡＭ
７４    記憶装置
７５    ＮＩＣ
７６    バス
７７    記憶媒体
【図１】
0005942404.tif 000002
【図２】
0005942404.tif 000003
【図３】
0005942404.tif 000004
【図４】
0005942404.tif 000005
【図５】
0005942404.tif 000006
【図６】
0005942404.tif 000007
【図７】
0005942404.tif 000008